(57)【要約】【課題】同一の試薬が複数箇所に配置されている自動分析装置において、試薬を均等に使用しているかどうかを確認できる自動分析装置を提供することにある。【解決手段】操作制御部１の試薬分注機構動作記憶部１０４は、試薬分注機構９の動作回数を記憶する。試薬分注機構回数算出部１０８は、試薬分注機構動作記憶部１０４から受け渡された情報からモジュール間、試薬分注機構間、試薬項目間の動作回数を計算する。使用差判定部１０９は、ユーザ定義情報記憶部１０５に記憶された判断基準と、試薬分注機構回数算出部１０８から受け渡された情報を比較して、判定結果を、表示部１１１に表示する。【選択図】図３
2012255662.tif 000002
【特許請求の範囲】
【請求項１】
複数個の分析モジュールから構成され、
各分析モジュールは、それぞれ、複数の試薬が配置された複数個の試薬ディスクと、各試薬ディスクに保持された試薬を分注する複数個の試薬分注機構を備える自動分析装置であって、
各分析モジュール内の各試薬分注機構の各試薬項目毎の動作回数である試薬動作回数リストと、各分析モジュール内の各試薬分注機構毎の動作回数である試薬分注機構間動作回数リストと、各分析モジュール毎の動作回数であるモジュール動作回数リストの少なくとも一つを算出する試薬分注機構回数算出部と、
該試薬分注機構回数算出部によって算出された各動作回数リストを表示する表示部とを備えることを特徴とする自動分析装置。
【請求項２】
請求項１記載の自動分析装置において、
入力された各分析モジュール内の各試薬分注機構の各試薬項目毎の動作回数の差の基準値である試薬項目間使用差と、各分析モジュール内の各試薬分注機構毎の動作回数の差の基準値である分注機構間使用差と、各分析モジュール毎の動作回数の差の基準値であるモジュール間使用差との少なくとも一つを記憶するユーザ定義情報記憶部と、
該ユーザ定義情報記憶部に記憶された前記基準値である使用差を、各動作回数の差が超えたことを判定する使用差判定部とを備え、
前記表示部は、該使用差判定部により前記基準値である使用差を各動作回数の差が超えたと判定されると、その結果を表示することを特徴とする自動分析装置。
【請求項３】
請求項１記載の自動分析装置において、
各分析モジュール内の各試薬分注機構の各試薬項目毎の動作回数と、各分析モジュール内の各試薬分注機構毎の動作回数と、各分析モジュール毎の動作回数との少なくとも一つを記憶する試薬分注機構動作記憶部を備え、
前記試薬分注機構回数算出部は、前記試薬分注機構動作記憶部に記憶された各動作回数を用いて、前記試薬動作回数リストと、前記試薬分注機構間動作回数リストと、前記モジュール動作回数リストの少なくとも一つを算出することを特徴とする自動分析装置。
【請求項４】
請求項１記載の自動分析装置において、
前記試薬分注機構回数算出部により算出された前記試薬動作回数リスト，前記、試薬分注機構間動作回数リスト，前記モジュール動作回数リストの少なくとも一つをトレース情報として記憶するトレース情報記憶部を備えることを特徴とする自動分析装置。
【発明の詳細な説明】
【技術分野】
【０００１】
本発明は、血液，尿等の生体サンプルの定性・定量分析を行う自動分析装置に係り、特に、複数モジュールから構成され、各モジュールの複数の試薬ディスク内に試薬を配置し運用している自動分析装置に関する。
【背景技術】
【０００２】
血液，尿等の生体サンプルの定性・定量分析を行う自動分析装置では、大量の検体試料の分析を可能とするために、複数のモジュールから構成されたものが知られている（例えば、特許文献１，特許文献２参照）。この構成の場合、同一の試薬が複数箇所に分散して保持されることになる。
【０００３】
それらの複数のモジュールを効率良く運用するために、あらかじめ施設で分析する依頼情報などにより適切と思われる試薬配置をシュミレーションし、実働に生かすようにしている。
【先行技術文献】
【特許文献】
【０００４】
【特許文献１】特開２０１０−１２２１２３号公報
【特許文献２】特開２００９−３６５１３号公報
【発明の概要】
【発明が解決しようとする課題】
【０００５】
このような自動分析装置において、長期的にシステムを運用していく中で、試薬の配置などにより分析に使用されるモジュール間の同一の試薬の使用頻度に偏りがある場合、保守すべき部品の寿命にも影響してくる。製品保証期間内に可能な限りモジュールを均等に使用することで偏りをなくすことは理想的な運用と言える。また、１つのモジュールに２つの試薬分注機構を有する自動分析装置においても、モジュール間と同じ意味合いで試薬分注機構ごとの偏りをなくすことが望ましい。
【０００６】
また、モジュール内の２つの試薬ディスクには同一の試薬が設置可能であるが、それらが均等に使用されるとは限らない。簡単な例を上げると、次のようになる。例えば、試薬ディスク１に試薬Ａ，Ｂを設置し、試薬ディスク２にも同一種類の試薬ａ，ｂを設置したものとする。２つの検体試料Ｘ，Ｙに対して、それぞれ試薬ａを使用する分析項目Ａと、試薬ｂを使用する分析項目Ｂとを分析依頼したとする。まず、試薬分注機構１では、試薬ディスク１から、検体試料Ｘに対する分析項目Ａのための試薬ａを分注し、続いて、試薬分注機構２では、試薬ディスク２から、検体試料Ｘに対する分析項目Ｂのための試薬ｂを分注する。その後、試薬分注機構１では、試薬ディスク１から、検体試料Ｙに対する分析項目Ａのための試薬ａを分注し、試薬分注機構２では、試薬ディスク２から、検体試料Ｙに対する分析項目Ｂのための試薬ｂを分注する。その結果、試薬分注機構１では試薬ディスク１の試薬ａのみが分注され、試薬分注機構２では試薬ディスク２の試薬ｂのみが分注されたことになる。このように、試薬ディスク１と試薬ディスク２に同じ試薬を設置したとしても均等に使用されるとは限らないのである。
【０００７】
従って、同じ試薬を同時期に開封し両方の試薬ディスクに設置したにも関わらず、片方のみ早いタイミングで交換時期を迎えることもある。開封後、試薬は劣化していくものであるから、長く装置に残るよりは同じタイミングで交換されるのが望ましい。
【０００８】
このようにモジュールを均等に使用していくためには、試薬の配置が大きな要素を占めていると言える。それらのモジュールを効率良く運用するために、施設で分析する依頼情報などにより適切と思われる試薬配置を模索するわけである。
【０００９】
しかしながら、従来の自動分析装置には、分析を実施している最中にシステム全体が均等に運用されているかどうか定量的に確認することができないものであって、そのため、ユーザは装置上で確認できないため、モジュールが本当に効率よく運用できているのかどうか判断がつかないものであった。
【００１０】
本発明の目的は、同一の試薬が複数箇所に配置されている自動分析装置において、試薬を均等に使用しているかどうかを確認できる自動分析装置を提供することにある。
【課題を解決するための手段】
【００１１】
（１）上記目的を達成するために、本発明は、複数個の分析モジュールから構成され、各分析モジュールは、それぞれ、複数の試薬が配置された複数個の試薬ディスクと、各試薬ディスクに保持された試薬を分注する複数個の試薬分注機構を備える自動分析装置であって、各分析モジュール内の各試薬分注機構の各試薬項目毎の動作回数である試薬動作回数リストと、各分析モジュール内の各試薬分注機構毎の動作回数である試薬分注機構間動作回数リストと、各分析モジュール毎の動作回数であるモジュール動作回数リストの少なくとも一つを算出する試薬分注機構回数算出部と、該試薬分注機構回数算出部によって算出された各動作回数リストを表示する表示部とを備えるようにしたものである。  
かかる構成により、同一の試薬が複数箇所に配置されている自動分析装置において、試薬を均等に使用しているかどうかを確認できる
（２）上記（１）において、好ましくは、入力された各分析モジュール内の各試薬分注機構の各試薬項目毎の動作回数の差の基準値である試薬項目間使用差と、各分析モジュール内の各試薬分注機構毎の動作回数の差の基準値である分注機構間使用差と、各分析モジュール毎の動作回数の差の基準値であるモジュール間使用差との少なくとも一つを記憶するユーザ定義情報記憶部と、該ユーザ定義情報記憶部に記憶された前記基準値である使用差を、各動作回数の差が超えたことを判定する使用差判定部とを備え、前記表示部は、該使用差判定部により前記基準値である使用差を各動作回数の差が超えたと判定されると、その結果を表示するようにしたものである。
【００１２】
（３）上記（１）において、好ましくは、各分析モジュール内の各試薬分注機構の各試薬項目毎の動作回数と、各分析モジュール内の各試薬分注機構毎の動作回数と、各分析モジュール毎の動作回数との少なくとも一つを記憶する試薬分注機構動作記憶部を備え、前記試薬分注機構回数算出部は、前記試薬分注機構動作記憶部に記憶された各動作回数を用いて、前記試薬動作回数リストと、前記試薬分注機構間動作回数リストと、前記モジュール動作回数リストの少なくとも一つを算出するようにしたものである。
【００１３】
（４）上記（１）において、好ましくは、前記試薬分注機構回数算出部により算出された前記試薬動作回数リスト，前記、試薬分注機構間動作回数リスト，前記モジュール動作回数リストの少なくとも一つをトレース情報として記憶するトレース情報記憶部を備えるようにした
【発明の効果】
【００１４】
本発明によれば、同一の試薬が複数箇所に配置されている自動分析装置において、試薬を均等に使用しているかどうかを確認できるものとなる。
【図面の簡単な説明】
【００１５】
【図１】本発明の一実施形態による自動分析装置の全体構成を示すブロック図である。
【図２】本発明の一実施形態による自動分析装置に用いる分析モジュールの要部構成を示す斜視図である。
【図３】本発明の一実施形態による自動分析装置に用いる操作制御部の機能ブロック図である。
【図４】本発明の一実施形態による自動分析装置の表示部におけるモジュール使用状況モニタ画面の表示例の説明図である。
【図５】本発明の一実施形態による自動分析装置の表示部における関連画面の表示例の説明図である。
【図６】本発明の一実施形態による自動分析装置の表示部における関連画面の表示例の説明図である。
【図７】本発明の一実施形態による自動分析装置の表示部における関連画面の表示例の説明図である。
【発明を実施するための形態】
【００１６】
以下、図１〜図７を用いて、本発明の一実施形態による自動分析装置の構成及び動作について説明する。  
最初に、図１及び図２を用いて、本実施形態による自動分析装置の全体構成について説明する。  
図１は、本発明の一実施形態による自動分析装置の全体構成を示すブロック図である。図２は、本発明の一実施形態による自動分析装置に用いる分析モジュールの要部構成を示す斜視図である。
【００１７】
図１に示すように、自動分析装置は、操作制御部１と、第1の分析モジュールＡＭ１と、第２の分析モジュールＡＭ２と、第３の分析モジュールＡＭ３と、検体投入部３０と、検体搬送部３２と、待機バッファ３４と、検体回収部３６と、再検搬送部３８とから構成される。なお、第1の分析モジュールＡＭ１と、第２の分析モジュールＡＭ２と、第３の分析モジュールＡＭ３とは、同一の構成を有しており、その詳細構成については、図２を用いて説明する。
【００１８】
検体投入部３０には、検体ラック３が投入される。検体ラック３には、複数の検体容器２が保持されている。検体容器２には、それぞれ分析対象の検体が収納されている。
【００１９】
検体投入部３０に投入された検体ラック３は、検体搬送部３２によって、第1の分析モジュールＡＭ１，第２の分析モジュールＡＭ２，第３の分析モジュールＡＭ３に搬送される。検体ラック３に保持された検体容器２に収納された検体は、第1の分析モジュールＡＭ１，第２の分析モジュールＡＭ２，第３の分析モジュールＡＭ３において分析される。検体ラック３は、検体搬送部３２によって、待機バッファ３４や検体回収部３６に搬送される。待機バッファ３４には、再検査の要否等が判定されるまで待機される。再検査が必要と判定されると、検体ラック３は、再検搬送部３８によって、検体搬送部３２のスタート位置（図示の左側の位置）まで戻され、再び、検体搬送部３２によって、第1の分析モジュールＡＭ１，第２の分析モジュールＡＭ２，第３の分析モジュールＡＭ３に搬送される。一方、第1の分析モジュールＡＭ１，第２の分析モジュールＡＭ２，第３の分析モジュールＡＭ３によって分析の終了した検体は、検体回収部３６で回収される。
【００２０】
操作制御部１は、操作部ユーザインターフェースで、ユーザからの指示を受け付ける。
【００２１】
次に、図２を用いて、第1の分析モジュールＡＭ１の構成について説明する。なお、第２の分析モジュールＡＭ２と、第３の分析モジュールＡＭ３との構成も同様である。図２において、図1と同一符号は、同一部分を示している。
【００２２】
第1の分析モジュールＡＭ１は、反応ディスク５と、２つの試薬ディスク７Ａ，７Ｂとを備えている。試薬ディスク７Ａと試薬ディスク７Ｂは、同一の構成を有している。試薬ディスク７Ｂは、反応ディスク５の内周側に配置されている。試薬ディスク７Ａ，７Ｂには、それぞれ複数の試薬容器８が設置されている。ここで、試薬ディスク７Ａと試薬ディスク７Ｂとには、それぞれ、同じ分析項目に用いる同じ試薬が設置されている。なお、試薬ディスク７Ａと試薬ディスク７Ｂとに、別の試薬を設置してもよいものである。試薬ディスク７Ａ，７Ｂは、保冷庫となっており、それぞれ試薬を分注するために２箇所の開口部１３が設けられている。反応ディスク５には、複数の反応容器６が設置されている。
【００２３】
反応ディスク５の外周には、２つの検体分注機構４Ａ，４Ｂが配置されている。検体分注機構４Ａ，４Ｂは、それぞれ、図１に示した検体搬送部３２の近傍に配置されており、検体ラック３に保持された検体容器２から、所定量の検体試料を吸引し、反応ディスク５に保持された反応容器６に分注する。
【００２４】
試薬ディスク７Ａの外周には、２つの試薬分注機構９Ａ１，９Ａ２が配置されている。試薬ディスク７Ｂの外周には、２つの試薬分注機構９Ｂ１，９Ｂ２が配置されている。試薬分注機構９Ａ１，９Ａ２は、それぞれ、試薬ディスク７Ａに保持された試薬容器８から所定の試薬を、反応容器６に分注する。試薬分注機構９Ｂ１，９Ｂ２は、それぞれ、試薬ディスク７Ｂに保持された試薬容器８から所定の試薬を、反応容器６に分注する。
【００２５】
反応ディスク５の外周には、２つの攪拌機構１０Ａ，１０Ｂが設置されている。攪拌機構１０Ａ，１０Ｂは、それぞれ、反応容器６の中の検体及び試薬を攪拌する。
【００２６】
光度計１１は、反応容器６の分析対象成分の吸光度を測定する。光度計による測定が終了した反応容器６は、洗浄機構１２によって洗浄される。
【００２７】
次に、本実施形態の自動分析装置による分析方法について説明する。検体の分析は以下のような順序で行われる。
【００２８】
検体分注機構４Ａ若しくは検体分注機構４Ｂにより、検体試料が検体容器２から反応容器６に既定の量分注される。次に、試薬分注機構９Ａ１，９Ａ２のいずれかにより、試薬が試薬ディスク７Ａの試薬容器８から反応容器６に既定の量分注される。または、試薬分注機構９Ｂ１，９Ｂ２のいずれかにより、試薬が試薬ディスク７Ｂの試薬容器８から反応容器６に既定の量分注される。反応容器６内の検体試料と試薬は、攪拌機構１０Ａ，１０Ｂのいずれかにより攪拌され、反応液が作成される。光度計１１は、反応液の吸光度測定を行う。操作制御部１は、光度計１１によって測定された吸光度を用いて、あらかじめ被検物質ごとに設定された分析法に基づき、検体の測定値を算出する。
【００２９】
本実施形態では、図２に示すように、試薬ディスク７Ａ，７Ｂ、検体分注機構４Ａ，４Ｂ、試薬分注機構９Ａ１，９Ａ２，９Ｂ１，９Ｂ２、攪拌機構１０Ａ，１０Ｂは、ひとつの分析モジュールＡＭ１の内部に存在し、それぞれ複数個備えている。これは、各機構を二重化し、位相をずらして動作させることで、複数の検体が並行して分析され、時間当たりの検体分析数を増やすためである。分析モジュールは、ユーザの希望に応じて、図示のように３台の分析モジュールＡＭ１，ＡＭ２，ＡＭ３に限らず、複数台構成で運用される。
【００３０】
次に、図３を用いて、本実施形態による自動分析装置に用いる操作制御部１の機能構成について説明する。  
図３は、本発明の一実施形態による自動分析装置に用いる操作制御部の機能ブロック図である。
【００３１】
本実施形態による操作制御部１は、入力部１０１と、検体数記憶部１０２と、依頼数記憶部１０３と、試薬分注機構動作記憶部１０４と、ユーザ定義情報記憶部１０５と、トレース情報記憶部１０６と、依頼項目割合算出部１０７と、試薬分注機構回数算出部１０８と、使用差判定部１０９と、算出結果報告部１１０と、表示部１１１と、外部出力２１２とから構成されている。
【００３２】
入力部１０１は、ユーザからの指示を入力する。検体数記憶部１０２は、入力部１０１からの入力情報に基づいて、検体数を記憶する。依頼数記憶部１０３は、入力部１０１からの入力情報に基づいて、検体に対して依頼された分析項目を記憶する。試薬分注機構動作記憶部１０４は、試薬分注機構の動作回数を記憶する。ユーザ定義情報記憶部１０５は、入力部１０１からの入力情報に基づいて、判断基準を記憶する。トレース情報記憶部１０６は、表示部１１１に表示された情報をトレースする。
【００３３】
依頼項目割合算出部１０７は、検体数記憶部１０２と依頼数記憶部１０３とに記憶された情報を元に、１検体中に依頼される分析項目の割合を計算する。試薬分注機構回数算出部１０８は、試薬分注機構動作記憶部１０４に記憶された情報から、モジュール間、試薬分注機構間、試薬項目間の動作回数を計算する。使用差判定部１０９は、ユーザ定義情報記憶部１０５と試薬分注機構回数算出部１０８からの情報を比較する。
【００３４】
算出結果報告部１１０は、依頼項目割合算出部１０７と試薬分注機構回数算出部１０８で求められた情報を表示部１１１に表示する。
【００３５】
表示部１１１には、ユーザ定義情報記憶部１０５、トレース情報記憶部１０６、使用差判定部１０９、算出結果報告部１１０の情報が表示される。外部出力１１２は、表示部１１１の情報を出力する。
【００３６】
次に、図１に示した操作制御部１の動作について説明する。
【００３７】
ユーザが、入力部１０１より、モジュール間使用差、試薬分注機構間使用差、試薬項目間使用差判定の基準値とその優先順を指定すると、その情報は、ユーザ定義情報記憶部１０５に記憶される。ここで、優先順とは、図４を用いて後述するが、図４の判定優先度入力欄３０７を用いて設定されるモジュール間使用差、試薬分注機構間使用差、試薬項目間使用差の３者に対して設定される優先度である。
【００３８】
次に、ユーザは、入力部１０１より、モジュールの使用状況モニタの開始を指示すると、モジュールの使用状況モニタが開始される。
【００３９】
そして、開始の指示を受けた検体数記憶部１０２は、分析する検体数をカウントを記憶する。
【００４０】
また、開始の指示を受けた依頼数記憶部１０３は、分析する検体数に依頼された分析項目ごとに依頼数をカウントし、それを記憶する。
【００４１】
さらに、開始の指示を受けた試薬分注機構動作記憶部１０４は、試薬分注動作回数を試薬ごとにカウントし、それを記憶する。また、試薬分注機構動作記憶部１０４は、どのモジュールのどの試薬分注機構で試薬ディスク内のどの位置に設置された試薬を分注したのか分かるようにモジュール番号，試薬分注機構番号，試薬設置場所，試薬コードも記憶する。
【００４２】
次に、依頼項目割合算出部１０７は、検体数記憶部１０２と依頼数記憶部１０３に記憶された情報を元に、分析依頼された分析項目が全検体中にどの程度の割合で含まれる分析項目であるかその割合を算出し、検体数と依頼項目の割合を算出結果報告部１１０に出力する。
【００４３】
また、試薬分注機構回数算出部１０８は、試薬分注機構動作記憶部１０４に記憶された情報を元に、モジュールごと、かつ試薬分注機構ごとに分類し、各試薬設置場所ごとに試薬分注動作回数を積算する。さらに、試薬分注機構回数算出部１０８は、それら算出された試薬設置場所ごとの試薬分注動作回数を試薬分注機構ごとに積算する。最後に、試薬分注機構回数算出部１０８は、試薬分注機構ごとに算出された試薬分注動作回数をモジュールごとに積算し、その結果を算出結果報告部１１０に出力する。また、試薬分注機構回数算出部１０８は、ユーザが指定したモジュール間使用差の基準値、試薬分注機構間使用差の基準値、試薬項目間使用差の基準値と比較するため、使用差判定部１０９にも出力する。
【００４４】
次に、算出結果報告部１１０は、依頼項目割合算出部１０７と試薬分注機構回数算出部１０８から通知された情報を表示部１１１で表示しやすいように並べ替える。依頼項目割合算出部１０７から受けた情報は、依頼される割合の高い分析項目から並べたり、あるいは分析項目の名前順に並べたりする。試薬分注機構回数算出部１０８から受けた情報は、モジュールごと、試薬分注機構ごとに各試薬項目の分注動作回数の多い順から並べたり、あるいは分析項目の名前順に並べたりする。その結果を、表示部１１１に出力する。
【００４５】
また、使用差判定部１０９は、モジュール間使用差、試薬分注機構間使用差、試薬項目間使用差判定を行う。モジュール間使用差について、使用差判定部１０９は、モジュールごとの試薬分注動作回数のうち最も多いものと最も少ないものの差分と、ユーザが定義したモジュール間使用差判定基準値比較し、判定基準値を超えているかどうか判定する。試薬分注機構間使用差について、使用差判定部１０９は、モジュール内にある２つの試薬分注機構ごとの試薬分注動作回数の差分と、ユーザが定義した試薬分注機構間使用差判定基準値を比較し、判定基準値を超えているかどうか判定する。
【００４６】
試薬項目間使用差について、使用差判定部１０９は、１つの試薬分注機構内で試薬ごとの試薬分注動作回数の差分と、ユーザが定義した試薬項目間使用差判定基準値を比較し、判定基準値を超えているかどうか判定する。比較する順番はユーザ定義情報記憶部１０５のモジュール間使用差、試薬分注機構間使用差、試薬項目間使用差判定の優先順情報により順番を決定する。そして、使用差判定結果を表示部１１１に出力する。
【００４７】
次に、表示部１１１は、ユーザ定義情報記憶部１０５、トレース情報記憶部１０６、使用差判定部１０９、算出結果報告部１１０から得た情報を表示する。
【００４８】
また、外部出力部１１２は、表示部１１１に表示された情報を外部出力する。
【００４９】
また、トレース情報記憶部１０６は、入力部１０１からの指示により、表示部１１１の情報をトレース情報としてデータベースに記憶したり、記憶されたトレース情報を表示部１１１に表示したりする。
【００５０】
そして、入力部１０１より指示し、モジュールの使用状況モニタを終了する。
【００５１】
次に、図４〜図７を用いて、本実施形態による自動分析装置の表示部１１１におけるモジュール使用状況モニタ画面の表示例について説明する。  
図４は、本発明の一実施形態による自動分析装置の表示部におけるモジュール使用状況モニタ画面の表示例の説明図である。図５〜図７は、本発明の一実施形態による自動分析装置の表示部における関連画面の表示例の説明図である。
【００５２】
ユーザが、図３に示した入力部１０１を操作すると、図４に示したモジュール使用状況モニタ画面３００が図３の表示部１１１に表示される。
【００５３】
分析モジュールの構成は、施設によって異なるため、１つの分析モジュールの表示要素である試薬動作回数リスト３０９、試薬分注機構間動作回数リスト３１０、モジュール動作回数リスト３１１は、表示する分析モジュールの個数により変化する。例えば、図４のモジュール使用状況モニタ画面では、モニタする分析モジュールが、図１に示したように、分析モジュール１（図１の分析モジュールＡＭ１）、分析モジュール２（図１の分析モジュールＡＭ２）、分析モジュール３（図１の分析モジュールＡＭ３）というように、３つのモジュールがある場合のレイアウト一例である。なお、試薬動作回数リスト３０９、試薬分注機構間動作回数リスト３１０、モジュール動作回数リスト３１１のデータは、図３に示した試薬分注機構動作記憶部１０４から得ることができる。
【００５４】
ユーザは、図３の入力部１０１を用いて、判定優先度入力欄３０７により、モジュール間使用差、試薬分注機構間使用差、試薬項目間使用差について判定する優先度を指定する。図４に示す例では、第一優先に試薬項目間使用差を指定し、第二優先に試薬分注機構間使用差を指定し、第三優先にモジュール間使用差を指定している。これらの優先度の情報は、図３のユーザ定義情報記憶部１０５に記憶される。
【００５５】
また、ユーザは、図３の入力部１０１を用いて、判定基準値入力欄３０８により、試薬分注機構の動作回数にどの程度の使用差が生じた場合にユーザに報告するか判定基準値として、モジュール間使用差、試薬分注機構間使用差、試薬項目間使用差を入力する。これらの判定基準値の情報は、図３のユーザ定義情報記憶部１０５に記憶される。
【００５６】
さらに、ユーザが、モジュール使用状況モニタ画面３００に表示されたモニタ開始ボタン３０１を、入力部１０１のマウス等を用いて押下げると、モジュール使用状況モニタが開始される。なお、図４の例では、モジュール使用状況モニタ画面からの指示でモジュール使用状況モニタを開始しているが、別な画面からの分析スタート実行をトリガーに、モジュール使用状況モニタを開始してもよいものである。
【００５７】
モジュール使用状況モニタが開始され、実際に検体の分析が開始されると、図３に示した検体数記憶部１０２，依頼数記憶部１０３，試薬分注機構動作記憶部１０４，トレース情報記憶部１０６，依頼項目割合算出部１０７，試薬分注機構回数算出部１０８，使用差判定部１０９，算出結果報告部１１０が動作し、その結果は、表示部１１１に、モジュール使用状況モニタ画面３００として表示される。
【００５８】
ここで、実際に検体の分析が開始されると、図３に示した検体数記憶部１０２に記憶された検体数の情報が、図４の依頼検体数表示欄３０５に表示される。図４の例では、各モジュールで分析された検体の総数が１５００検体であることを示している。なお、依頼検体数表示欄３０５のデータは、図３に示した検体数記憶部１０２から得ることができる。
【００５９】
依頼項目数表示欄３０６には、依頼検体数表示欄３０５で表示された数の検体のうち、どの分析項目がどの程度の割合で含まれているか表示する。例えば、図４に示す例では、依頼項目数表示欄３０６の分析項目「ＡＡＡ」は１００％と表示されているが、それは１５００検体すべてに分析項目「ＡＡＡ」が依頼されていることを示している。この表示データは、図３に示した依頼項目割合算出部１０７によって算出されたものである。
【００６０】
試薬動作回数リスト表示欄３０９には、試薬名称，試薬設置場所，試薬の分注動作回数が表示される。試薬の分注動作回数のデータは、図３に示した試薬分注機構回数算出部１０８によって算出されたものである。ここで、試薬分注機構１（例えば、図２の試薬分注機構９Ａ１，９Ａ２）と試薬分注機構２（例えば、図２の試薬分注機構９Ｂ１，９Ｂ２）で扱われた同一試薬の分注動作回数の差分が、判定基準値入力欄３０８の試薬間使用差の基準値を超えている分析項目は、色付け、マークなどによって一目で分かるようにする。
【００６１】
図４の例では、試薬分注機構１と試薬分注機構２で分注された分析項目「ＦＦＦ」の分注動作回数の差分が基準値を超えているため、分析項目「ＦＦＦ」のリスト行を太い線で示し、三角マークによって示している。実際の画面では、色づけすることで、識別性が向上する。また、モジュール使用状況モニタ画面を閉じている場合に、使用差判定部１０９が使用差が基準値を超えたと判定すると、図７に示すようなお知らせ画面を表示する。
【００６２】
図７に示すお知らせ画面では、表示例６０１として、「モジュール間の試薬使用の偏りが大きくなりました。効率良く使用するために試薬配置を見直してください」というメッセージを表示部１１１に表示する。このお知らせ画面において、モニター遷移ボタン６０２をクリックすると、図４に示したモジュール使用状況モニター画面３００の画面を表示することができる。また、閉じるボタン６０３をクリックすると、図７に示すお知らせ画面を閉じられる。
【００６３】
さらに、使用差判定部１０９が使用差が基準値を超えたと判定すると、装置から離れたユーザにも知らせることが可能となるように、ブザーを備えることもできる。なお、図４に示す例では、使用差判定部１０９のデータに基づいて、三角マークなどを表示するようにしている。
【００６４】
試薬分注機構動作回数リスト表示欄３１０には、モジュール内の試薬分注機構１，試薬分注機構２のそれぞれに対する分注動作回数が表示される。試薬の分注動作回数のデータは、図３に示した試薬分注機構回数算出部１０８によって算出されたものである。試薬分注機構１，試薬分注機構２の分注動作回数の差分が判定基準値入力欄３０８の分注機構間使用差の基準値を超えている場合、分注動作回数の小さい方の試薬分注機構動作回数リスト表示欄３１０を色付け、マークなどによって一目で分かるようにする。
【００６５】
図４の例では、モジュール１の第２試薬分注機構が基準値を超えているため、試薬分注機構動作回数リスト３１０を太い線で示し、動作回数の右に三角マークによって示している。
【００６６】
また、モジュール使用状況モニタ画面を閉じている場合は、図７のようにお知らせ画面を表示する。さらに、装置から離れたユーザにも知らせることが可能となるようブザーを備えることもできる。
【００６７】
モジュール動作回数リスト表示欄３１１には、モジュール内の試薬分注機構１，試薬分注機構２の分注動作回数の総和を表示する。試薬の分注動作回数のデータは、図３に示した試薬分注機構回数算出部１０８によって算出されたものである。
【００６８】
最も多い動作回数のモジュールと、最も少ない動作回数のモジュールの分注動作回数の差分が、判定基準値入力欄３０８のモジュール間使用差の基準値を超えている場合、分注動作回数の小さい方のモジュール動作回数リスト表示欄３１１を色付け、マークなどによって一目で分かるようにする。
【００６９】
図４の例は最も動作回数の多いモジュール１と最も少ない動作回数のモジュール２の動作回数の差分が判定基準値入力欄３０８のモジュール間使用差の基準値を超えているため、分注動作回数の小さい方のモジュール動作回数リスト表示欄３１１を太い線で示し、動作回数の右に三角マークによって示している。
【００７０】
また、モジュール使用状況モニタ画面を閉じている場合は、図７のようにお知らせ画面を表示する。さらに、装置から離れたユーザにも知らせることが可能となるようブザーを備えることもできる。
【００７１】
また、モニタ終了ボタン３０２を、入力部１０１のマウス等を用いて押下げると、モジュール使用状況モニタを終了する。図４の例では、モジュール使用状況モニタ画面からの指示でモジュール使用状況モニタを終了しているが、別な画面からの分析ストップや分析終了後の自動終了をトリガーに終了しても良い。
【００７２】
また、出力ボタン３１２を、入力部１０１のマウス等を用いて押下げると、モジュール使用状況モニタ画面の情報を外部出力できる。出力先は、プリンタであっても良いし、外部記録媒体であっても良い。
【００７３】
また、トレースボタン３０３を、入力部１０１のマウス等を用いて押下げると、図５のトレース記憶画面が開き、現在のモジュール使用状況モニタの表示情報を記憶することができる。具体的には、図５に示すトレース記憶画面では、記憶するモジュール使用状況モニタの表示情報に対して、用途エディットボックス４０１から任意の名称を付けて記憶することができる。図５の実行ボタン４０３を、入力部１０１のマウス等を用いて押下げると、トレース記憶を実行する。トレースを記憶しない場合には、取消ボタン４０２を押下する。
【００７４】
また、図４の呼出しボタン３０４を、入力部１０１のマウス等を用いて押下げると、図６のトレース一覧画面が開き、今までトレースしたモジュール使用状況モニタの表示情報を選択することができる。具体的には、図６に示すトレース一覧画面では、用途リストボックス５０１に今までに記憶したモジュール使用状況モニタの表示情報が表示される。
【００７５】
ここで、トレース一覧画面の依頼項目リストボックス５０２は、用途リストボックス５０１で選択した分析項目に対する依頼項目情報を表示するものである。依頼項目情報は、モジュール使用状況モニタの表示情報の一つであり、どのような分析依頼を実施したか分かるように表示している。
【００７６】
また、トレース一覧画面の用途リストボックス５０１で単数、あるいは複数選択した分析項目を、削除ボタン５０４にて削除できる。
【００７７】
また、トレース一覧画面の用途リストボックス５０１で単数項目を選択し、実行ボタン５０５を押下することでトレースされたモジュール使用状況モニタの表示情報を呼び出す。呼び出された情報は、図４に反映され表示される。トレースを呼び出さない場合には取消ボタン５０３を押下する。
【００７８】
また、図４の閉じるボタン３１３を、入力部１０１のマウス等を用いて押下げると、モジュール使用状況モニタ画面を閉じる。
【００７９】
以上説明したように、本実施形態では、モジュールの使用効率が悪い状態で運用しているかどうか自動分析装置が知らせることによりユーザが効率の悪い状態を改善するきっかけになる。そして、その都度試薬配置を見直していくことにより、施設に適した試薬配置が見つかり、モジュール使用効率が改善する。また、ユーザが考えた試薬配置が、システム運用上本当に効率良い配置であったか確認するための有効な情報となる。
【符号の説明】
【００８０】
１…操作制御部
２…検体容器
３…搬送ラック
４Ａ，４Ｂ…検体分注機構
５…反応ディスク
６…反応容器
７Ａ，７Ｂ…試薬ディスク
８…試薬容器
９Ａ１，９Ａ２，９Ｂ１，９Ｂ２…試薬分注機構
１０Ａ，１０Ｂ…攪拌機構
１１…光度計
１２…洗浄機構
１３…開口部
ＡＭ１，ＡＭ２，ＡＭ３…分析モジュール
３０…検体投入部
３２…検体搬送部
３４…待機バッファ
３６…検体回収部
３８…再検搬送部
１０１…入力部
１０２…検体数記憶部
１０３…依頼数記憶部
１０４…試薬分注機構動作記憶部
１０５…ユーザ定義情報記憶部
１０６…トレース情報記憶部
１０７…依頼項目割合算出部
１０８…試薬分注機構回数算出部
１０９…使用差判定部
１１０…算出結果報告部
１１１…表示部
１１２…外部出力部
【図１】
2012255662.tif 000003
【図２】
2012255662.tif 000004
【図３】
2012255662.tif 000005
【図４】
2012255662.tif 000006
【図５】
2012255662.tif 000007
【図６】
2012255662.tif 000008
【図７】
2012255662.tif 000009